(57)【特許請求の範囲】
【請求項１】
複数の異なる周期でページング情報を送信する基地局と通信する無線通信装置であって、
基地局と無線通信する無線通信部と、
前記無線通信装置の状態変化を検出する検出部と、
前記検出部による検出結果に応じ、前記基地局から送信されるページング情報を受信するための受信周期を、自律的に切り替える受信制御部と、
を備える、無線通信装置。
【請求項２】
前記無線通信部は、前記２以上の周期を示す情報を前記基地局から受信し、
前記無線通信装置は、前記無線通信部により受信された前記２以上の周期を示す情報を記憶する記憶部をさらに備える、請求項１に記載の無線通信装置。
【請求項３】
前記受信制御部は、前記基地局との非接続時に前記受信周期を前記２以上の周期のうちで切り替える、請求項２に記載の無線通信装置。
【請求項４】
前記検出部は、前記無線通信装置の移動を前記状態変化として検出する、請求項３に記載の無線通信装置。
【請求項５】
前記検出部は、前記無線通信装置が特定位置に移動したことを前記状態変化として検出する、請求項４に記載の無線通信装置。
【請求項６】
前記検出部は、前記無線通信装置の電源残量の減少を前記状態変化として検出する、請求項３に記載の無線通信装置。
【請求項７】
前記無線通信装置は、商品の自動販売機能を有し、
前記検出部は、前記自動販売機能による売り上げの変化または商品在庫の減少を前記状態変化として検出する、請求項３に記載の無線通信装置。
【請求項８】
複数の異なる周期でページング情報を送信する基地局と通信する無線通信装置により実行される無線通信方法であって、
無線通信装置の状態変化を検出し、
前記状態変化の検出結果に応じ、前記ページング情報を受信するための受信周期を、自律的に切り替える、無線通信方法。
【請求項９】
コンピュータを、
複数の異なる周期でページング情報を送信する基地局と通信する無線通信装置であって、
基地局と無線通信する無線通信部と、
前記無線通信装置の状態変化を検出する検出部と、
前記検出部による検出結果に応じ、前記基地局から送信されるページング情報を受信するための受信周期を、自律的に切り替える受信制御部と、
を備える、無線通信装置として機能させるための、プログラム。
【請求項１０】
複数の異なる周期でページング情報を送信する基地局であって、
無線通信装置と無線通信する無線通信部と、
前記ページング情報に対する前記無線通信装置からの応答信号を所定時間受信しなかった場合に、自律的に、ページング情報の送信周期を他の周期に切り替えるページング制御部と、
を備える、基地局。
【請求項１１】
無線通信装置と、
複数の異なる周期でページング情報を送信する基地局と、
を備え、
前記無線通信装置は、
前記無線通信装置の状態変化を検出する検出部、および、
前記検出部による検出結果に応じ、前記ページング情報を受信するための受信周期を、自律的に切り替える受信制御部、
を有する、無線通信システム。
【発明の詳細な説明】
【技術分野】
【０００１】
本発明は、無線通信装置、基地局、無線通信方法、プログラムおよび無線通信システムに関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において４Ｇの無線通信システムの規格化が進められている。４Ｇによれば、リレーやキャリアアグリゲーションなどの技術を用いることにより、最大通信速度の向上やセルエッジでの品質向上を実現することができる。また、ＨｅＮＢ（Ｈｏｍｅ  ｅＮｏｄｅＢ、フェムトセル基地局、携帯電話用小型基地局）やＲＲＨ（リモートラジオヘッド）など、ｅＮｏｄｅＢ（マクロセル基地局）以外の基地局の導入によりカバレッジを向上させることも検討されている。
【０００３】
（ページング）
また、ＬＴＥでは、ＲＲＣ＿Ｃｏｎｎｅｃｔｅｄモードと、ＲＲＣ＿Ｉｄｌｅモードが定義されている。ＲＲＣ＿Ｃｏｎｎｅｃｔｅｄモードは、ＵＥとｅＮｏｄｅＢの間でコネクションが確立されており、ＵＥがアップリンク信号の送信およびダウンリンク信号の受信を行える状態である。一方、ＲＲＣ＿Ｉｄｌｅモードは、ＵＥの電力がセーブされた状態であり、ＲＲＣ＿ＩｄｌｅモードのＵＥは、ｅＮｏｄｅＢからのページングチャネルを監視し、ページングチャネルに呼び出しがあれば、ＲＲＣ＿Ｃｏｎｎｅｃｔｅｄモードに遷移する。
【０００４】
ここで、ｅＮｏｄｅＢは、例えばＵＥの呼び出しがある場合、ページング周期と呼ばれる周期で到来するタイミングでページングチャネルを送信するので、ＲＲＣ＿ＩｄｌｅモードのＵＥは、ページング周期でページングチャネルを監視する。ページング周期が長いとＵＥの消費電力を削減できるが、呼び出しからＵＥが応答するまでの遅延が大きくなるという傾向がある。なお、これに類する間欠受信周期については例えば特許文献１に開示されている。
【０００５】
（ＭＴＣについて）
一方、３ＧＰＰでは、ＭＴＣ（Ｍａｃｈｉｎｅ  Ｔｙｐｅ  Ｃｏｍｍｕｎｉｃａｔｉｏｎｓ）に関する議論も進められている。ＭＴＣは、一般的にＭ２Ｍ（Ｍａｃｈｉｎｅ  ｔｏ  Ｍａｃｈｉｎｅ）と同義であり、機械と機械の間の人間が直接利用しない通信を意味する。このＭＴＣは、主として、サーバと、人間が直接利用しないＭＴＣ端末との間で行われる。
【０００６】
例えば、医療系のＭＴＣアプリケーションとして、ＭＴＣ端末が、人間の心電図情報を収集し、あるトリガ条件が満たされた場合に心電図情報をサーバにアップリンクを利用して送信することが考えられる。他のＭＴＣアプリケーションとして、自動販売機をＭＴＣ端末として機能させ、サーバが、一定周期（例えば３０日）ごとに管理下の自動販売機に対して売上を報告させることも考えられる。
【０００７】
このようなＭＴＣ端末は、一例として一般的には以下の特徴を有するが、各ＭＴＣ端末が以下の全ての特徴を有する必要はなく、いずれの特徴を有するかはアプリケーションに依存する。
・移動がほとんどない（Ｌｏｗ  Ｍｏｂｉｌｉｔｙ）
・小容量のデータ転送（Ｏｎｌｉｎｅ  Ｓｍａｌｌ  Ｄａｔａ  Ｔｒａｎｓｍｉｓｓｉｏｎ）
・超低消費電力（Ｅｘｔｒａ  Ｌｏｗ  Ｐｏｗｅｒ  Ｃｏｎｓｕｍｐｔｉｏｎ）
・各ＭＴＣをグルーピングしてハンドリング（Ｇｒｏｕｐ  ｂａｓｅｄ  ＭＴＣ  Ｆｅａｔｕｒｅｓ）
【先行技術文献】
【特許文献】
【０００８】
【特許文献１】特開平９−８３４２７号公報
【発明の概要】
【発明が解決しようとする課題】
【０００９】
しかし、ＲＲＣ＿ＩｄｌｅモードのＵＥのように、基地局と非接続の無線通信装置のページング周期は等間隔であった。このため、無線通信装置に適用するページング周期の自由度が低いという問題があった。
【００１０】
そこで、本発明は、上記問題に鑑みてなされたものであり、本発明の目的とするところは、ページングチャネルの通信のための周期を柔軟に切り替えることが可能な、新規かつ改良された無線通信装置、基地局、無線通信方法、プログラムおよび無線通信システムを提供することにある。
【課題を解決するための手段】
【００１１】
上記課題を解決するために、本発明のある観点によれば、複数の異なる周期でページング情報を送信する基地局と通信する無線通信装置であって、基地局と無線通信する無線通信部と、前記無線通信装置の状態変化を検出する検出部と、前記検出部による検出結果に応じ、前記基地局から送信されるページング情報を受信するための受信周期を、自律的に切り替える受信制御部と、を備える、無線通信装置が提供される。
【００１２】
前記無線通信部は、前記２以上の周期を示す情報を前記基地局から受信し、前記無線通信装置は、前記無線通信部により受信された前記２以上の周期を示す情報を記憶する記憶部をさらに備えてもよい。
【００１３】
前記受信制御部は、前記基地局との非接続時に前記受信周期を前記２以上の周期のうちで切り替えてもよい。
【００１４】
前記検出部は、前記無線通信装置の移動を前記状態変化として検出してもよい。
【００１５】
前記検出部は、前記無線通信装置が特定位置に移動したことを前記状態変化として検出してもよい。
【００１６】
前記検出部は、前記無線通信装置の電源残量の減少を前記状態変化として検出してもよい。
【００１７】
前記無線通信装置は、商品の自動販売機能を有し、前記検出部は、前記自動販売機能による売り上げの変化または商品在庫の減少を前記状態変化として検出してもよい。
【００１８】
また、上記課題を解決するために、本発明の別の観点によれば、複数の異なる周期でページング情報を送信する基地局と通信する無線通信装置により実行される無線通信方法であって、無線通信装置の状態変化を検出し、前記状態変化の検出結果に応じ、前記ページング情報を受信するための受信周期を、自律的に切り替える、無線通信方法が提供される。
【００１９】
また、上記課題を解決するために、本発明の別の観点によれば、コンピュータを、複数の異なる周期でページング情報を送信する基地局と通信する無線通信装置であって、基地局と無線通信する無線通信部と、前記無線通信装置の状態変化を検出する検出部と、前記検出部による検出結果に応じ、前記基地局から送信されるページング情報を受信するための受信周期を、自律的に切り替える受信制御部と、を備える、無線通信装置として機能させるための、プログラムが提供される。
【００２０】
また、上記課題を解決するために、本発明の別の観点によれば、複数の異なる周期でページング情報を送信する基地局であって、無線通信装置と無線通信する無線通信部と、前記ページング情報に対する前記無線通信装置からの応答信号を所定時間受信しなかった場合に、自律的に、ページング情報の送信周期を他の周期に切り替えるページング制御部と、を備える、基地局が提供される。
【００２１】
また、上記課題を解決するために、本発明の別の観点によれば、無線通信装置と、複数の異なる周期でページング情報を送信する基地局と、を備え、前記無線通信装置は、前記無線通信装置の状態変化を検出する検出部、および、前記検出部による検出結果に応じ、前記ページング情報を受信するための受信周期を、自律的に切り替える受信制御部、を有する、無線通信システムが提供される。
【発明の効果】
【００２２】
以上説明したように本発明によれば、ページングチャネルの通信のための周期を柔軟に切り替えることが可能である。
【図面の簡単な説明】
【００２３】
【図１】無線通信システムの構成例を示した説明図である。
【図２】４Ｇのフレームフォーマットを示した説明図である。
【図３】ＣＣＥの生成を示した説明図である。
【図４】ブラインドデコーディングを示した説明図である。
【図５】本発明の第１の実施形態による基地局の構成を示した機能ブロック図である。
【図６】本発明の第１の実施形態による基地局によるページングの具体例を示した説明図である。
【図７】本発明の第１の実施形態によるＭＴＣ端末の構成を示した機能ブロック図である。
【図８】本発明の第１の実施形態による動作を示したシーケンス図である。
【図９】本発明の第２の実施形態による基地局の構成を示した機能ブロック図である。
【図１０】本発明の第２の実施形態による基地局によるページングの具体例を示した説明図である。
【図１１】本発明の第２の実施形態によるＭＴＣ端末の構成を示した機能ブロック図である。
【図１２】本発明の第２の実施形態による動作を示したシーケンス図である。
【図１３】本発明の第３の実施形態による基地局の構成を示した機能ブロック図である。
【図１４】ページング周期の第１の通知方法を示した説明図である。
【図１５】ページング周期の第２の通知方法を示した説明図である。
【図１６】本発明の第３の実施形態によるＭＴＣ端末の構成を示した機能ブロック図である。
【図１７】本発明の第３の実施形態による動作を示したシーケンス図である。
【図１８】本発明の第３の実施形態による動作を示したシーケンス図である。
【図１９】本発明の第４の実施形態による基地局の構成を示した機能ブロック図である。
【図２０】本発明の第４の実施形態による基地局によるページングの具体例を示した説明図である。
【図２１】本発明の第４の実施形態によるＭＴＣ端末の構成を示した機能ブロック図である。
【図２２】本発明の第４の実施形態によるＭＴＣ端末による受信周期の切替えを示した説明図である。
【図２３】本発明の第４の実施形態による動作を示したシーケンス図である。
【図２４】本発明の第５の実施形態による基地局の構成を示した機能ブロック図である。
【図２５】本発明の第５の実施形態による基地局によるページング周期の切替えを示した説明図である。
【図２６】本発明の第５の実施形態による基地局によるページング周期の切替えを示した説明図である。
【図２７】本発明の第５の実施形態による動作を示したシーケンス図である。
【発明を実施するための形態】
【００２４】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２５】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてＭＴＣ端末２０Ａ、２０Ｂおよび２０Ｃのように区別する。ただし、実質的に同一の機能構成を有する複数の構成要素の各々を特に区別する必要がない場合、同一符号のみを付する。例えば、ＭＴＣ端末２０Ａ、２０Ｂおよび２０Ｃを特に区別する必要が無い場合には、単にＭＴＣ端末２０と称する。
【００２６】
また、以下に示す項目順序に従って当該「発明を実施するための形態」を説明する。
１．無線通信システムの概略
１−１．無線通信システムの構成
１−２．フレーム構成
１−３．ページング
１−４．ページングチャネルの詳細な説明
１−５．ブラインドデコーディング
１−６．ＭＴＣに想定されるページング
２．各実施形態の説明
２−１．第１の実施形態
（第１の実施形態による基地局の構成）
（第１の実施形態によるＭＴＣ端末の構成）
（第１の実施形態の動作）
２−２．第２の実施形態
（第２の実施形態による基地局の構成）
（第２の実施形態によるＭＴＣ端末の構成）
（第２の実施形態の動作）
２−３．第３の実施形態
（第３の実施形態による基地局の構成）
（第３の実施形態によるＭＴＣ端末の構成）
（第３の実施形態の動作）
２−４．第４の実施形態
（第４の実施形態による基地局の構成）
（第４の実施形態によるＭＴＣ端末の構成）
（第４の実施形態の動作）
２−５．第５の実施形態
（第５の実施形態による基地局の構成）
（第５の実施形態の動作）
３．むすび
【００２７】
＜＜１．無線通信システムの概略＞＞
現在、３ＧＰＰにおいて４Ｇの無線通信システムの規格化が進められている。本発明の実施形態は、一例としてこの４Ｇの無線通信システムに適用することができるので、まず、４Ｇの無線通信システムの概略を説明する。
【００２８】
＜１−１．無線通信システムの構成＞
図１は、無線通信システム１の構成例を示した説明図である。図１に示したように、無線通信システム１は、基地局１０と、ＭＭＥ（Ｍｏｂｉｌｉｔｙ  Ｍａｎａｇｅｍｅｎｔ  Ｅｎｔｉｔｙ）１２、Ｓ−ＧＷ（Ｓｅｒｖｉｎｇ  Ｇａｔｅｗａｙ）１４、およびＰＤＮ（Ｐａｃｋｅｔ  Ｄａｔａ  Ｎｅｔｗｏｒｋ）−ＧＷ１６を含むコアネットワークと、ＭＴＣ端末２０と、ＭＴＣサーバ３０と、を備える。
【００２９】
本発明の実施形態は、図１に示した基地局１０およびＭＴＣ端末２０などの無線通信装置に適用することができる。なお、基地局１０は、例えば、ｅＮｏｄｅＢ、リレーノード、または家庭用小型基地局であるＨｏｍｅ  ｅＮｏｄｅＢであってもよい。また、ＭＴＣ端末２０はユーザ端末（ＵＥ：Ｕｓｅｒ  Ｅｑｕｉｐｍｅｎｔ）の一例であり、本発明の実施形態は、携帯電話やＰＣ（Ｐｅｒｓｏｎａｌ  Ｃｏｍｐｕｔｅｒ）などの非ＭＴＣ端末にも適用可能である。
【００３０】
基地局１０は、ＭＴＣ端末２０と通信する無線基地局である。図１においては１台の基地局１０のみを示しているが、実際には多数の基地局１０がコアネットワークに接続される。また、図１においては記載を省略しているが、基地局１０は非ＭＴＣ端末などの他のユーザ端末とも通信する。
【００３１】
ＭＭＥ１２は、データ通信用のセッションの設定、開放やハンドオーバーの制御を行う装置である。このＭＭＥ１２は、基地局１０とＸ２と呼ばれるインタフェースを介して接続される。
【００３２】
Ｓ−ＧＷ１４は、ユーザデータのルーティング、転送などを行う装置である。ＰＤＮ−ＧＷ１６は、ＩＰサービスネットワークとの接続点として機能し、ＩＰサービスネットワークとの間でユーザデータを転送する。
【００３３】
ＭＴＣ端末２０は、３ＧＰＰで議論されている、機械と機械の間の人間が直接利用しない通信であるＭＴＣに特化した無線端末である。このＭＴＣ端末２０は、基地局１０とアプリケーションに応じた無線通信を行う。また、ＭＴＣ端末２０は、コアネットワークを介してＭＴＣサーバ３０と双方向通信を行う。
【００３４】
例えば、医療系のＭＴＣアプリケーションとして、ＭＴＣ端末２０が、人間の心電図情報を収集し、あるトリガ条件が満たされた場合に心電図情報をサーバにアップリンクを利用して送信することが考えられる。他のＭＴＣアプリケーションとして、自動販売機をＭＴＣ端末２０として機能させ、ＭＴＣサーバ３０が、一定周期（例えば３０日）ごとに管理下の自動販売機に対して売上を報告させることも考えられる。
【００３５】
このようなＭＴＣ端末２０は、一例として一般的には以下の特徴を有するが、各ＭＴＣ端末２０が以下の全ての特徴を有する必要はなく、いずれの特徴を有するかはアプリケーションに依存する。
・移動がほとんどない（Ｌｏｗ  Ｍｏｂｉｌｉｔｙ）
・小容量のデータ転送（Ｏｎｌｉｎｅ  Ｓｍａｌｌ  Ｄａｔａ  Ｔｒａｎｓｍｉｓｓｉｏｎ）
・超低消費電力（Ｅｘｔｒａ  Ｌｏｗ  Ｐｏｗｅｒ  Ｃｏｎｓｕｍｐｔｉｏｎ）
・各ＭＴＣをグルーピングしてハンドリング（Ｇｒｏｕｐ  ｂａｓｅｄ  ＭＴＣ  Ｆｅａｔｕｒｅｓ）
【００３６】
＜１−２．フレーム構成＞
上述の基地局１０およびＭＴＣ端末２０は、詳細については決定されていないが、ｅＮｏｄｅＢおよびＵＥ間の通信に準ずる形で無線通信を行うことが予想される。そこで、以下では、ｅＮｏｄｅＢおよびＵＥ間で共有される無線フレームについて説明する。以下で説明する内容は、基地局１０およびＭＴＣ端末２０間の通信に援用可能である。
【００３７】
図２は、４Ｇのフレームフォーマットを示した説明図である。図２に示したように、１０ｍｓの無線フレームは、１０個の１ｍｓのサブフレーム＃０〜＃９から構成されている。また、１ｍｓの各サブフレームは、２つの０．５ｍｓスロットで構成されている。さらに、各０．５ｍｓスロットは、７Ｏｆｄｍシンボルで構成されている。
【００３８】
なお、Ｏｆｄｍシンボルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式の通信方式で用いられる単位であり、１回のＦＦＴ（Ｆａｓｔ  Ｆｏｕｒｉｅｒ  Ｔｒａｎｓｆｏｒｍ）で処理されたデータを出力する単位である。
【００３９】
図２に示した１ｍｓの各サブフレームの先頭には、ＰＤＣＣＨ（Ｐｈｙ  ＤｏｗｎＬｉｎｋ  Ｃｏｎｔｒｏｌ  Ｃｈａｎｎｅｌ）と呼ばれる制御信号が付加される。このＰＤＣＣＨの送信ために、サブフレームの先頭の１Ｏｆｄｍシンボル〜３Ｏｆｄｍシンボルが利用される。すなわち、ＰＤＣＣＨの送信ために１Ｏｆｄｍシンボルが利用される場合もあれば、３Ｏｆｄｍシンボルが利用される場合もある。
【００４０】
なお、ＰＤＣＣＨの送信に利用される無線フレーム中の領域は制御領域と称され、ＰＤＳＣＨ（Ｐｈｙ  ＤｏｗｎＬｉｎｋ  Ｓｈａｒｅｄ  Ｃｈａｎｎｅｌ）やＰＵＳＣＨ（Ｐｈｙ  ＵｐＬｉｎｋ  Ｓｈａｒｅｄ  Ｃｈａｎｎｅｌ）などの送信に利用される無線フレーム中の領域はデータ領域と称される。
【００４１】
＜１−３．ページング＞
ＬＴＥでは、ＲＲＣ＿Ｃｏｎｎｅｃｔｅｄモードと、ＲＲＣ＿Ｉｄｌｅモードが定義されている。ＲＲＣ＿Ｃｏｎｎｅｃｔｅｄモードは、ＵＥとｅＮｏｄｅＢの間でコネクションが確立されており、ＵＥがアップリンク信号の送信およびダウンリンク信号の受信を行える状態である。一方、ＲＲＣ＿Ｉｄｌｅモードは、ＵＥの電力がセーブされた状態であり、ＲＲＣ＿ＩｄｌｅモードのＵＥは、ｅＮｏｄｅＢからのページングチャネルを監視し、ページングチャネルに呼び出しがあれば、ＲＲＣ＿Ｃｏｎｎｅｃｔｅｄモードに遷移する。このＲＲＣ＿Ｉｄｌｅモードでは、ｅＮｏｄｅＢにＵＥの情報は存在せず、Ｓ１−ＭＭＥインタフェースと呼ばれる有線でｅＮｏｄｅＢと接続されたＭＭＥにＵＥがどのトラッキングエリア（ページングエリア）に存在しているかが登録されている。
【００４２】
トラッキングエリアは、近接する数１０〜１００程度のｅＮｏｄｅＢからなるエリアであり、ＭＭＥは、ＵＥに対する着信があった場合、ＵＥのトラッキングエリアに存在する全てのｅＮｏｄｅＢからページングチャネルによるＵＥの呼び出し（ｉｎｃｏｍｉｎｇ  ｃａｌｌ）を行う。
【００４３】
このため、ＲＲＣ＿ＩｄｌｅモードのＵＥは、ページングチャネルが送信され得る周期で受信処理を行うことによりページングチャネルを監視し、ページングチャネルによる呼び出しがあれば、ＲＲＣ＿Ｃｏｎｎｅｃｔｅｄモードに遷移する。
【００４４】
なお、ＲＲＣ＿ＩｄｌｅモードのＵＥは、ページングチャネルを受信するための受信処理時以外は、電力をセーブするために、一部のハードウェアへのクロックや電源を停止する。そして、ＲＲＣ＿ＩｄｌｅモードのＵＥは、ｅＮｏｄｅＢからページングチャネルが送信され得る時刻前にハードウェアへの電源供給を再開し、ページングチャネルの受信処理を行い、受信処理後に再び電力をセーブする状態に入る。
【００４５】
＜１−４．ページングチャネルの詳細な説明＞
上述したＰＤＣＣＨにおいて、各ＵＥに対する制御情報の最小単位はＣＣＥ（Ｃｏｎｔｒｏｌ  Ｃｈａｎｎｅｌ  Ｅｌｅｍｅｎｔ）と呼ばれている。ｅＮｏｄｅＢは、ＰＤＳＣＨにおいてＵＥにページングチャネルを送信する場合、所定周期に従ったＰＤＣＣＨで、ＵＥがＰＤＳＣＨのどのリソースを受信してページングチャネルを受信すべきかを示すＰＩ（Ｐａｇｉｎｇ  Ｉｎｄｉｃａｔｏｒ）を含むＣＣＥを送信する。すなわち、このＣＣＥにはスケジューリング情報である受信許可（ｇｒａｎｔｓ）が含まれる。
【００４６】
ＵＥは、自分宛のＣＣＥにＰＩが含まれる場合、ＰＩの示すＰＤＳＣＨ上で送信されるページングチャネルを受信することにより、自分宛のダウンリンク信号の存在を通知する情報を取得できる。なお、自分宛のＣＣＥか否かの判断は、後述するブラインドデコーディングにより行われる。
【００４７】
ここで、ＰＩは、ＵＥに対するページングチャネルが存在する場合に所定の周期に従ってＰＤＣＣＨに挿入される(LTE  The  UMTS  Long  Term  Evolution  Edited  by:Stefania  Sesia,Issam  Toufik,Matthew  Baker  3.4  Paging  P77)。この所定の周期は、ＤＲＸ（Ｄｉｓｃｏｎｔｉｎｕｅｓ  ｒｅｃｅｐｔｉｏｎ）周期、またはページング周期と呼ばれ、ＵＥごとに設定される。このようなページング周期は、ＮＡＳ（Ｎｏｎ−Ａｃｃｅｓｓ  Ｓｔｒａｔｕｍ）プロトコル上のＵＥとＭＭＥとの間のシグナリングなどのハイヤーレイヤーのシグナリングにより設定される。ページング周期が長いとＵＥの消費電力を削減できるが、呼び出しからＵＥが応答するまでの遅延が大きくなるという傾向がある。
【００４８】
＜１−５．ブラインドデコーディング＞
各ＵＥには、各ＵＥの識別子であるＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）や、ページングチャネルを受信するためのＰ−ＲＮＴＩが割り当てられている。
【００４９】
ｅＮｏｄｅＢは、ＣＣＥの宛先を特定するために、図３に示したように、ＰＩなどの制御情報をＰ−ＲＮＴＩでマスキングしながらＣＲＣ（Ｃｙｃｌｉｃ  Ｒｅｄｕｎｄａｎｃｙ  Ｃｈｅｃｋ）により得られるチェックビットをＣＣＥに付加する。ここで、マスキングは、制御情報とＰ−ＲＮＴＩの排他的論理和（ＸＯＲ）の演算であってもよし、制御情報とＰ−ＲＮＴＩとの直列的な結合であってもよい。
【００５０】
ＵＥは、複数のＣＣＥからなるＰＤＣＣＨを受信すると、自分のＰ−ＲＮＴＩにより識別されるＣＣＥをブラインドデコーディングにより抽出する。以下、図４を参照して具体的に説明する。
【００５１】
図４は、ブラインドデコーディングを示した説明図である。ＵＥは、図４に示したように、ブラインドデコーディングとして、自分のＰ−ＲＮＴＩで各ＣＣＥをデマスキングしながらＣＲＣチェックを行う。すなわち、ＵＥは、各ＣＣＥが自分宛てであると仮定して各ＣＣＥのＣＲＣチェックを行い、結果が正常であったＣＣＥを自分宛てのＣＣＥであると判断する。
【００５２】
ＵＥは、このようなブラインドデコーディングにより、ｅＮｏｄｅＢから送信される自分宛のＣＣＥを判断し、自分宛のＣＣＥからＰＩを取得することができる。
【００５３】
＜１−６．ＭＴＣに想定されるページング）
「１−１．無線通信システムの構成」で説明したように、ＭＴＣには超低消費電力が求められる。ＭＴＣによるアプリケーションは、週一回や月一回のデータ収集や設定などが多くなると予想される。例えば、自動販売機に実装されたＭＴＣ端末は、データ収集センター（ＭＴＣサーバ）からの月一回のコマンドに従って売り上げを報告することが考えられる。
【００５４】
このように、ＭＴＣ端末のデータを月一回ｅＮｏｄｅＢから読み出す設定を行う場合、ｅＮｏｄｅＢは、一月の日数の相違により、３０日、３１日、２９日、２８日などの異なる周期でページング（ＰＩ＋ページングチャネル）を送信することが望まれる。したがって、非周期のページング周期の実現が重要であるが、等間隔のページング周期を基調とする現状のＬＴＥでは、非周期のページング周期に対応することが困難である。
【００５５】
なお、長周期でかつ非周期なページングをアプリケーションレイヤで行うという手段もあるが、ページングチャネルの送受信は、１ｍｓ幅の特定のサブフレームで行う必要があるので、アプリケーションレイヤでのこのような高精度な制御は困難である。
【００５６】
また、ＭＴＣ端末に３０日、３１日、２９日、２８日などの非周期パターンで月末に報告するように事前に設定することも可能であるが、このような事前設定には、ＭＴＣサーバが報告を必要としない場合まで報告が行われてしまうという欠点がある。ＭＴＣ端末の数は膨大になることが想定されるので、無駄な報告を許容するとネットワーク内部で輻輳が発生しかねない。
【００５７】
そこで、上記事情を一着眼点にして本発明の実施形態を創作するに至った。本発明の各実施形態によれば、ページングチャネルの通信のための周期を柔軟に切り替えることが可能である。以下、このような本発明の各実施形態について図面を参照して詳細に説明する。
【００５８】
＜＜２．各実施形態の説明＞＞
＜２−１．第１の実施形態＞
まず、図５〜図８を参照し、本発明の第１の実施形態を説明する。本発明の第１の実施形態によれば、以下に詳細に説明するように、非周期パターンに基づいてページングを運用することが可能である。
【００５９】
（第１の実施形態による基地局の構成）
図５は、本発明の第１の実施形態による基地局１０−１の構成を示した機能ブロック図である。図５に示したように、本発明の第１の実施形態による基地局１０−１は、アンテナ１０４と、無線通信部１０８と、スケジューラ１１２と、Ｐ−ＲＮＴＩ管理部１１６と、ページング周期管理部１２１と、記憶部１３１と、ページング制御部１４１と、ＣＲＣ回路１５０と、を備える。
【００６０】
アンテナ１０４は、無線通信部１０８から供給されるＰＤＣＣＨ（制御信号）やＰＤＳＣＨ（データ信号）などの送信信号を無線信号として送信する送信部、および、第１の実施形態によるＭＴＣ端末２０などの無線通信装置から送信された無線信号を電気的な受信信号に変換して無線通信部１０８に供給する受信部として機能する。なお、図５においては基地局１０−１が１のアンテナを有する例を示しているが、基地局１０−１は複数のアンテナを備えてもよい。この場合、基地局１０は、ＭＩＭＯ（Ｍｕｌｔｉｐｌｅ  Ｉｎｐｕｔ  Ｍｕｌｔｉｐｌｅ  Ｏｕｔｐｕｔ）通信、およびダイバーシティ通信などを実現可能である。
【００６１】
無線通信部１０８は、ページング制御部１４１から供給されるＰＤＣＣＨやＳ−ＧＷ１４から供給されるユーザデータを含むＰＤＳＣＨなどの送信信号の変調、ＤＡ変換、フィルタリング、増幅およびアップコンバージョンなどの送信用の無線処理を行う。また、無線通信部１０８は、アンテナ１０４から供給される受信信号のダウンコンバージョン、フィルタリング、ＤＡ変換、復調などの受信用の無線処理を行う。
【００６２】
スケジューラ１１２は、各ＭＴＣ端末２０にデータ通信のためのリソースを割り当てる。すなわち、スケジューラ１１２は、各ＭＴＣ端末２０がＰＤＳＣＨのうちで受信すべきリソースブロック、および各ＭＴＣ端末２０がＰＵＳＣＨのうちで送信すべきリソースブロックを割り当てる。例えば、スケジューラ１１６は、ＭＴＣ端末２０に対するページングチャネルが存在する場合、ＭＴＣ端末２０のページング周期に従った無線フレーム（１０ｍｓ  ｒａｄｉｏ  ｆｒａｍｅ＝１０サブフレーム）のＰＤＳＣＨ上で、ＭＴＣ端末２０にページングチチャネルを送信するためのリソースを割り当てる。
【００６３】
Ｐ−ＲＮＴＩ管理部１１６は、各ＭＴＣ端末２０に対するＰ−ＲＮＴＩの割当てを管理する。なお、Ｐ−ＲＮＴＩは、ＰＩを含むＣＣＥの宛先を識別するために利用される。
【００６４】
ページング周期管理部１２１は、各ＭＴＣ端末２０の非接続時（ＲＲＣ＿Ｉｄｌｅモード時）のページング周期を設定する。具体的には、本実施形態によるページング周期管理部１２１は、第１の実施形態によるＭＴＣ端末２０−１にページングチャネルを送信するためのページング周期を、２以上の異なる間隔の組合せ、すなわち非周期パターンに設定する。例えば、ページング周期管理部１２１は、通常はページング周期を１０無線フレーム周期に設定するところ、「３、５、２、９、・・・」という非周期パターンに設定する。
【００６５】
なお、この非周期パターンはＭＴＣ端末２０−１と共有されるので、ページング周期として無限の非周期パターンを設定することは現実できでない。このため、設定された非周期パターンの繰り返しをページング周期として扱ってもよい。
【００６６】
また、ページング周期管理部１２１は、ＭＭＥ１２やＭＴＣサーバ３０などのネットワーク側からの指示に従って非周期パターンを設定してもよい。例えば、ページング周期管理部１２１は、ネットワーク側から３１日、２８日、３１日、３０日、という月末の到来周期での設定を指示された場合、指示された周期を無線フレーム単位に換算して非周期パターンを設定してもよい。
【００６７】
記憶部１３１は、ページング周期管理部１２１により設定された各ＭＴＣ端末２０の非周期パターンを記憶する。
【００６８】
ページング制御部１４１は、ＭＴＣ端末２０−１へのページング情報（システム情報、ｉｎｃｏｍｉｎｇ  ｃａｌｌなど）が存在する場合、ＰＩを含むＣＣＥを生成する。具体的には、ページング制御部１４１は、ＰＩ、および当該ＰＩをＭＴＣ端末２０−１のＰ−ＲＮＴＩでマスキングしながらＣＲＣ回路１５０により得られるＣＣＥを生成する。
【００６９】
ここで、マスキングは、ＰＩとＰ−ＲＮＴＩの排他的論理和（ＸＯＲ）の演算であってもよし、ＰＩとＰ−ＲＮＴＩとの直列的な結合であってもよい。これにより、ＰＩの宛先として、マスキングに用いたＰ−ＲＮＴＩが割り当てられているＭＴＣ端末２０−１を指定することができる。このようにして生成されたＣＣＥは、無線通信部１０８に供給され、ＰＤＣＣＨにマッピングされる。
【００７０】
また、ページング制御部１４１は、ページング情報を含むページングチャネルを生成する。このページングチャネルは、無線通信部１０８に供給され、ＰＩの示すＰＤＳＣＨ上のリソースにマッピングされる。なお、ｉｎｃｏｍｉｎｇ  ｃａｌｌなどのページング情報は、ページングやハンドオーバーなどの制御情報を扱うＭＭＥ１２からＳ１−ＭＭＥインタフェースを介して供給される。
【００７１】
また、本実施形態によるページング制御部１４１は、ＲＲＣ＿ＩｄｌｅモードのＭＴＣ端末２０−１に対するページング（ＰＩおよびページングチャネルの送信）を、当該ＭＴＣ端末２０−１に関して記憶部１３１に記憶されている非周期パターンに従った無線フレームで制御する。以下、この点について図６を参照してより具体的に説明する。
【００７２】
図６は、基地局１０−１によるページングの具体例を示した説明図である。ＭＴＣ端末２０−１に関して記憶部１３１に記憶されている非周期パターンが「３、５、２、９」である場合、ページング周期は、図６に示したように非周期パターンの繰り返しとなる。基地局１０−１のページング制御部１４１は、ＭＴＣ端末２０−１に対するページング情報がある場合、図６において「Ｐ」の四角囲いで示したように、この非周期パターンに従って到来する無線フレームでページングを制御する。
【００７３】
以上説明したように、本発明の第１の実施形態による基地局１０−１は、例えば３１日（１月）、２８日（２月）、３１日（３月）、３０日（４月）、・・・という月末が到来する非周期パターンをページング周期として設定することができる。このため、基地局１０−１は、ＭＴＣ端末２０−１からのデータ報告の必要がある月末にのみページングを行えるので、毎月末にデータ報告するようにＭＴＣ端末２０−１に事前設定する場合と比べ、無線リソースやＭＴＣ端末２０−１の消費量を軽減できる。
【００７４】
（第１の実施形態によるＭＴＣ端末の構成）
続いて、図７を参照し、第１の実施形態によるＭＴＣ端末２０−１の構成を説明する。
【００７５】
図７は、第１の実施形態によるＭＴＣ端末２０−１の構成を示した機能ブロック図である。図７に示したように、第１の実施形態によるＭＴＣ端末２０−１は、アンテナ２０４と、無線通信部２０８と、受信周期制御部２２１と、記憶部２３１と、ブラインドデコーディング部２４０と、ＣＲＣ回路２５０と、を備える。
【００７６】
アンテナ２０４は、無線通信部２０８から供給されるＰＵＳＣＨ（データ信号）などの送信信号を無線信号として送信する送信部、および、基地局１０−１から送信されたＰＤＣＣＨやＰＤＳＣＨなどの無線信号を電気的な受信信号に変換して無線通信部２０８に供給する受信部として機能する。なお、図７においてはＭＴＣ端末２０−１が１のアンテナを有する例を示しているが、ＭＴＣ端末２０−１は複数のアンテナを備えてもよい。この場合、ＭＴＣ端末２０−１は、ＭＩＭＯ（Ｍｕｌｔｉｐｌｅ  Ｉｎｐｕｔ  Ｍｕｌｔｉｐｌｅ  Ｏｕｔｐｕｔ）通信、およびダイバーシティ通信などを実現可能である。
【００７７】
無線通信部２０８は、上位レイヤから供給されるユーザデータの変調、ＤＡ変換、フィルタリング、増幅およびアップコンバージョンなどの送信用の無線処理を行う。また、無線通信部２０８は、アンテナ２０４から供給される受信信号のダウンコンバージョン、フィルタリング、ＤＡ変換、復調などの受信用の無線処理を行う。
【００７８】
記憶部２３１は、基地局１０−１との通信に利用される多様な情報を記憶する。例えば、記憶部２３１は、基地局１０−１のＰ−ＲＮＴＩ管理部１１６によってＭＴＣ端末２０−１に割り当てられたＰ−ＲＮＴＩ、および基地局１０−１のページング周期管理部１２１によって設定された非周期パターンなどを記憶する。
【００７９】
受信周期制御部２２１は、ＲＲＣ＿Ｉｄｌｅモードにおいてページングを監視するための受信周期（ＤＲＸ周期）を制御する受信制御部である。具体的には、受信周期制御部２２１は、記憶部２３１に記憶されている非周期パターンに従った無線フレームでブラインドデコーディング部２４０にブラインドデコーディングを行わせる。
【００８０】
ブラインドデコーディング部２４０は、無線通信部２０８からＰＤＣＣＨが供給されると、ＭＴＣ端末２０−１に付与されたＰ−ＲＮＴＩにより識別されるＣＣＥをブラインドデコーディングにより抽出する。
【００８１】
より具体的には、ブラインドデコーディング部２４０は、ＣＲＣ回路２５０と協働して、ＭＴＣ端末２０−１に付与されたＰ−ＲＮＴＩで各ＣＣＥをデマスキングしながらＣＲＣチェックを行う。そして、ブラインドデコーディング部２４０は、結果が正常であったＣＣＥを抽出し、ＣＣＥに記載されているＰＩの示すＰＤＳＣＨ上のリソースをデコード結果として無線通信部２０８に供給する。無線通信部２０８は、デコード結果の示すＰＤＳＣＨ上のリソースで受信処理を行うことにより、基地局１０−１から送信されたページングチャネルを取得できる。
【００８２】
以上説明したように、第１の実施形態によるＭＴＣ端末２０−１は、基地局１０−１により設定された非周期パターンに従ってページングを監視することができる。なお、上記では基地局１０−１が非周期パターンを設定してＭＴＣ端末２０−１に通知する例を説明したが、ＭＴＣ端末２０−１が非周期パターンを設定して非周期パターンを基地局１０−１に通知してもよい。
【００８３】
（第１の実施形態の動作）
以上、本発明の第１の実施形態による基地局１０−１およびＭＴＣ端末２０−１の構成を説明した。続いて、図８を参照し、本発明の第１の実施形態による動作を説明する。
【００８４】
図８は、本発明の第１の実施形態による動作を示したシーケンス図である。図８に示したように、ＭＴＣ端末２０−１がＲＲＣ＿Ｃｏｎｎｅｃｔｅｄモードで動作している状態で（Ｓ３０２）、基地局１０−１が非周期パターンを設定すると（Ｓ３０４）、基地局１０−１は非周期パターンをＭＴＣ端末２０−１に通知する（Ｓ３０６）。
【００８５】
ＭＴＣ端末２０−１は、非周期パターンの通知に対してＡＣＫを基地局１０−１に返信し（Ｓ３０８）、非周期パターンを記憶部２３１に記憶する（Ｓ３１０）。
【００８６】
その後、ＭＴＣ端末２０−１がＲＲＣ＿Ｉｄｌｅモードに遷移すると、受信周期制御部２２１は、記憶部２３１に記憶した非周期パターンに従ってブラインドデコーディング部２４０にページング（ＰＩ）を監視させる（Ｓ３１２）。
【００８７】
一方、基地局１０−１は、ＭＭＥ１２からＳ１−ＭＭＥインタフェースを介してページング要求が供給されると（Ｓ３１４）、Ｓ３０４で設定した非周期パターンに従って到来するタイミングを特定し（Ｓ３１６）、特定したタイミングにおいてページングを行う（Ｓ３１８）。ここで、ＭＴＣ端末２０−１は、非周期パターンに従ってページングを監視しているので、基地局１０−１からのページングを取得することが可能である。
【００８８】
＜２−２．第２の実施形態＞
以上、本発明の第１の実施形態を説明した。続いて、本発明の第２の実施形態を説明する。本発明の第２の実施形態によれば、以下に詳細に説明するように、あるタイミングにおいて複数の周期のうちでページング周期を切り替えることが可能である。
【００８９】
（第２の実施形態による基地局の構成）
図９は、本発明の第２の実施形態による基地局１０−２の構成を示した機能ブロック図である。図９に示したように、本発明の第２の実施形態による基地局１０−２は、アンテナ１０４と、無線通信部１０８と、スケジューラ１１２と、Ｐ−ＲＮＴＩ管理部１１６と、ページング周期管理部１２２と、記憶部１３２と、ページング制御部１４２と、ＣＲＣ回路１５０と、を備える。アンテナ１０４、無線通信部１０８、スケジューラ１１２、Ｐ−ＲＮＴＩ管理部１１６、およびＣＲＣ回路１５０の機能は第１の実施形態で説明した通りであるので、以下では、主に第１の実施形態と異なる構成を説明する。
【００９０】
ページング周期管理部１２２は、ＲＲＣ＿Ｉｄｌｅモードで動作する各ＭＴＣ端末２０−２へのページングのための複数の周期、および複数の周期の切替えタイミングを設定する。例えば、ページング周期管理部１２２は、長周期、短周期、および長周期と短周期の切替えタイミング（時刻、またはフレームなど）を設定する。この周期切替えタイミングは、周期を切り替える時刻またはフレーム番号などであってもよいし、長周期または短周期の継続時間または継続フレーム数などであってもよい。
【００９１】
なお、ページング周期管理部１２２が３以上の周期を設定する場合、各周期切替えタイミングにおいていずれの周期に切り替えるかを判断するための情報が必要である。そこで、ページング周期管理部１２２は、各周期切替えタイミングに、切換後の周期を対応付けて設定してもよい。または、ページング周期管理部１２２は、各周期の切替え順序を設定しておいてもよい。かかる構成により、長周期、中周期、短周期などの３以上の周期での運用が可能となる。
【００９２】
記憶部１３２は、ページング周期管理部１２２により設定された各ＭＴＣ端末２０の複数の周期、および複数の周期の切替えタイミングを示す情報を記憶する。
【００９３】
ページング制御部１４２は、ＲＲＣ＿ＩｄｌｅモードのＭＴＣ端末２０−２に対するページングを、当該ＭＴＣ端末２０−２に関して記憶部１３２に記憶されている複数の周期および周期切替えタイミングに従った無線フレームで制御する。以下、この点について図１０を参照してより具体的に説明する。
【００９４】
図１０は、基地局１０−２によるページングの具体例を示した説明図である。ＭＴＣ端末２０−２に関して記憶部１３２に長周期、短周期、および周期切替えタイミングｔ１、ｔ２が記憶されている場合、基地局１０−２のページング制御部１４２は、図１０に示したようにｔ１においてページング周期を短周期から長周期に切り替える。また、ページング制御部１４２は、ｔ２においてページング周期を長周期から短周期に切り替える。
【００９５】
そして、基地局１０−２のページング制御部１４２は、ＭＴＣ端末２０−２に対するページング情報がある場合、図１０において「Ｐ」の四角囲いで示したように、この長周期および短周期の切替えに従って到来する無線フレームでページングを制御する。
【００９６】
以上説明したように、本発明の第２の実施形態による基地局１０−２は、例えば月末付近に短周期を配置することにより、各月の日数が相違しても、月末においてページング要求の発生から少ない遅延でページングを行うことができる。また、本発明の第２の実施形態では、長周期、短周期および周期切替えタイミングを基地局１０−２とＭＴＣ端末２０−２との間で共有すればよい。このため、第１の実施形態に比べ、基地局１０−２からＭＴＣ端末２０−２へのシグナリングの情報量を抑制し易くなる。
【００９７】
（第２の実施形態によるＭＴＣ端末の構成）
続いて、図１１を参照し、第２の実施形態によるＭＴＣ端末２０−２の構成を説明する。
【００９８】
図１１は、第２の実施形態によるＭＴＣ端末２０−２の構成を示した機能ブロック図である。図１１に示したように、第２の実施形態によるＭＴＣ端末２０−２は、アンテナ２０４と、無線通信部２０８と、受信周期制御部２２２と、記憶部２３２と、ブラインドデコーディング部２４０と、ＣＲＣ回路２５０と、を備える。アンテナ２０４、無線通信部２０８、ブラインドデコーディング部２４０、およびＣＲＣ回路２５０の機能は第１の実施形態で説明した通りであるので、以下では、主に第１の実施形態と異なる構成を説明する。
【００９９】
記憶部２３２は、基地局１０−２との通信に利用される多様な情報を記憶する。例えば、記憶部２３２は、基地局１０−２のＰ−ＲＮＴＩ管理部１１６によってＭＴＣ端末２０−２に割り当てられたＰ−ＲＮＴＩ、および基地局１０−２のページング周期管理部１２１によって設定された長周期、短周期、および周期切替えタイミングなどを記憶する。
【０１００】
受信周期制御部２２２は、ＲＲＣ＿Ｉｄｌｅモードにおいてページングを監視するための受信周期（ＤＲＸ周期）を制御する受信制御部である。具体的には、受信周期制御部２２２は、記憶部２３２に記憶されている長周期、短周期、および周期切替えタイミングに従った無線フレームでブラインドデコーディング部２４０にブラインドデコーディングを行わせる。
【０１０１】
以上説明したように、第２の実施形態によるＭＴＣ端末２０−２は、基地局１０−２により設定された周期切替えタイミングにおいて複数の周期の間で受信周期を切り替えることができる。なお、上記では基地局１０−２が周期切替えタイミングを設定してＭＴＣ端末２０−２に通知する例を説明したが、ＭＴＣ端末２０−２が周期切替えタイミングを設定して基地局１０−２に通知してもよい。また、長周期および短周期などの複数の周期が事前に基地局１０−２と各ＭＴＣ端末２０−２の間で共有されている場合、基地局１０−２は長周期および短周期を通知しなくてもよい。
【０１０２】
（第２の実施形態の動作）
以上、本発明の第２の実施形態による基地局１０−２およびＭＴＣ端末２０−２の構成を説明した。続いて、図１２を参照し、本発明の第２の実施形態による動作を説明する。
【０１０３】
図１２は、本発明の第２の実施形態による動作を示したシーケンス図である。図１２に示したように、ＭＴＣ端末２０−２がＲＲＣ＿Ｃｏｎｎｅｃｔｅｄモードで動作している状態で（Ｓ４０２）、基地局１０−２が周期切替えタイミングを設定すると（Ｓ４０４）、基地局１０−２は周期切替えタイミングをＭＴＣ端末２０−２に通知する（Ｓ４０６）。
【０１０４】
ＭＴＣ端末２０−２は、周期切替えタイミングの通知に対してＡＣＫを基地局１０−２に返信し（Ｓ４０８）、周期切替えタイミングを記憶部２３２に記憶する（Ｓ４１０）。なお、基地局１０−２は、周期切替えタイミングに加えて長周期、短周期などの複数の周期を通知してもよい。
【０１０５】
その後、ＭＴＣ端末２０−２がＲＲＣ＿Ｉｄｌｅモードに遷移すると、受信周期制御部２２２は、長周期または短周期に従ってページングを監視し、記憶部２３２に記憶した周期切替えタイミングで長周期と短周期を切り替える（Ｓ４１２）。
【０１０６】
一方、基地局１０−２は、ＭＭＥ１２からＳ１−ＭＭＥインタフェースを介してページング要求が供給されると（Ｓ４１４）、Ｓ４０４で設定した周期切替えタイミングにおいて切り替えられる長周期または短周期に従って到来するタイミングを特定し（Ｓ４１６）、特定したタイミングにおいてページングを行う（Ｓ４１８）。ここで、ＭＴＣ端末２０−２は、基地局１０−２と同じ周期切替えタイミングにおいて長周期と短周期を切り替えてページングを監視しているので、基地局１０−２からのページングを取得することが可能である。
【０１０７】
＜２−３．第３の実施形態＞
以上、本発明の第２の実施形態を説明した。続いて、本発明の第３の実施形態を説明する。本発明の第３の実施形態によれば、以下に詳細に説明するように、ページング周期を逐次更新することが可能である。
【０１０８】
（第３の実施形態による基地局の構成）
図１３は、本発明の第３の実施形態による基地局１０−３の構成を示した機能ブロック図である。図１３に示したように、本発明の第３の実施形態による基地局１０−３は、アンテナ１０４と、無線通信部１０８と、スケジューラ１１２と、Ｐ−ＲＮＴＩ管理部１１６と、ページング周期管理部１２３と、記憶部１３３と、ページング制御部１４３と、ＣＲＣ回路１５０と、を備える。アンテナ１０４、無線通信部１０８、スケジューラ１１２、Ｐ−ＲＮＴＩ管理部１１６、およびＣＲＣ回路１５０の機能は第１の実施形態で説明した通りであるので、以下では、主に第１の実施形態と異なる構成を説明する。
【０１０９】
ページング周期管理部１２３は、ＲＲＣ＿Ｉｄｌｅモードで動作するＭＴＣ端末２０−３へのページングのためのページング周期を逐次更新する。例えば、ページング周期管理部１２３は、ページング周期が周期Ａである場合に、ページング周期を周期Ｂに更新する。
【０１１０】
記憶部１３３は、ページング周期管理部１２３により逐次更新されるページング周期（逐次更新周期）を記憶する。
【０１１１】
ページング制御部１４３は、ＲＲＣ＿ＩｄｌｅモードのＭＴＣ端末２０−３に対するページングを、記憶部１３３に記憶されている逐次更新周期に従った無線フレームで制御する。ここで、ページング周期管理部１２３により更新されるページング周期はＭＴＣ端末２０−３にも通知する必要があるが、ページング周期の通知方法として、図１４を参照して説明する第１の通知方法、および図１５を参照して説明する第２の通知方法が挙げられる。
【０１１２】
図１４は、ページング周期の第１の通知方法を示した説明図である。基地局１０−３は、第１の通知方法として、全てのページングチャネルで次のページング周期を通知してもよい。例えば、基地局１０−３は、図１４に示したように、以降も周期Ａが継続するページングチャネル＃１１では周期Ａを通知し、以降にページング周期が周期Ｂに更新されるページングチャネル＃１２では周期Ｂを通知してもよい。
【０１１３】
図１５は、ページング周期の第２の通知方法を示した説明図である。基地局１０−３は、第２の通知方法として、以降にページング周期が更新されるページングチャネルで更新後のページング周期を通知してもよい。例えば、基地局１０−３は、図１５に示したように、以降も周期Ａが継続するページングチャネル＃１１ではページング周期を通知せず、以降にページング周期が周期Ｂに更新されるページングチャネル＃１２では周期Ｂを通知してもよい。
【０１１４】
以上説明したように、本発明の第３の実施形態によれば、基地局１０−３を含むネットワーク側でページング周期の更新要求に応じてＲＲＣ＿Ｉｄｌｅモードで動作するＭＴＣ端末２０−３に関するページング周期を逐次更新することが可能である。また、本発明の第３の実施形態によれば、第１の実施形態のように多数の間隔からなる非周期パターンを共有する必要が無いので、メモリ資源の観点から有用である。また、特に第２の通知方法は、通知のためのリソースを抑制できる点でも効果的である。
【０１１５】
（第３の実施形態によるＭＴＣ端末の構成）
続いて、図１６を参照し、第３の実施形態によるＭＴＣ端末２０−３の構成を説明する。
【０１１６】
図１６は、第３の実施形態によるＭＴＣ端末２０−３の構成を示した機能ブロック図である。図１６に示したように、第３の実施形態によるＭＴＣ端末２０−３は、アンテナ２０４と、無線通信部２０８と、受信周期制御部２２３と、記憶部２３３と、ブラインドデコーディング部２４０と、ＣＲＣ回路２５０と、を備える。アンテナ２０４、無線通信部２０８、ブラインドデコーディング部２４０、およびＣＲＣ回路２５０の機能は第１の実施形態で説明した通りであるので、以下では、主に第１の実施形態と異なる構成を説明する。
【０１１７】
記憶部２３３は、基地局１０−３との通信に利用される多様な情報を記憶する。例えば、記憶部２３３は、基地局１０−３のＰ−ＲＮＴＩ管理部１１６によってＭＴＣ端末２０−３に割り当てられたＰ−ＲＮＴＩ、および基地局１０−３のページング周期管理部１２１によって逐次更新されるページング周期などを記憶する。
【０１１８】
受信周期制御部２２３は、ＲＲＣ＿Ｉｄｌｅモードにおいてページングを監視するための受信周期（ＤＲＸ周期）を制御する受信制御部である。具体的には、受信周期制御部２２３は、記憶部２３３に記憶された逐次更新されるページング周期に従った無線フレームでブラインドデコーディング部２４０にブラインドデコーディングを行わせる。
【０１１９】
以上説明したように、第３の実施形態によるＭＴＣ端末２０−３は、基地局１０−３により逐次更新されるページング周期に従ってページングを監視することができる。
【０１２０】
（第３の実施形態の動作）
以上、本発明の第３の実施形態による基地局１０−３およびＭＴＣ端末２０−３の構成を説明した。続いて、図１７を参照し、本発明の第３の実施形態による動作を説明する。
【０１２１】
図１７は、本発明の第３の実施形態による動作を示したシーケンス図である。図１７に示したように、ＭＴＣ端末２０−３がＲＲＣ＿Ｃｏｎｎｅｃｔｅｄモードで動作している状態で（Ｓ５０２）、基地局１０−３がページング周期を設定すると（Ｓ５０４）、基地局１０−３はページング周期をＭＴＣ端末２０−３に通知する（Ｓ５０６）。
【０１２２】
ＭＴＣ端末２０−３は、ページング周期の通知に対してＡＣＫを基地局１０−３に返信し（Ｓ５０８）、ページング周期を記憶部２３３に記憶する（Ｓ５１０）。
【０１２３】
その後、ＭＴＣ端末２０−３がＲＲＣ＿Ｉｄｌｅモードに遷移すると、受信周期制御部２２３は、記憶部２３３に記憶したページング周期に従ってページングを監視する（Ｓ５１２）。
【０１２４】
一方、基地局１０−３は、ＭＭＥ１２からＳ１−ＭＭＥインタフェースを介してページング要求が供給されると（Ｓ５１４）、Ｓ５０４で設定したページング周期に従って到来するタイミングを特定する（Ｓ５１６）。また、基地局１０−３は、ページング周期を更新する場合、更新後のページング周期をページングチャネルに記載する（Ｓ５１８）。そして、基地局１０−３は、Ｓ５１６において特定したタイミングにおいて、更新後のページング周期が記載されたページングチャネルによりページングを行う（Ｓ５２０）。
【０１２５】
ＭＴＣ端末２０−３は、更新後のページング周期が記載されたページングチャネルを受信すると、更新後のページング周期を記憶部２３３に記憶し、更新後のページング周期に従ってページングを監視する（Ｓ５２２）。
【０１２６】
ここで、上述のように基地局１０−３がページング周期を逐次更新してＭＴＣ端末２０−３に通知する本実施形態では、更新後のページング周期の通知がＭＴＣ端末２０−３により正常に受信されたか否かを基地局１０−３が把握することが重要である。しかし、ＭＴＣ端末２０−３がアップリンクにより受信確認を送信すると、シグナリングが増加してしまうという問題がある。
【０１２７】
このため、本実施形態による基地局１０−３は、以下に図１８を参照して説明する方法により上記問題を解決する。
【０１２８】
図１８は、第３の実施形態による動作を示したシーケンス図である。図１８に示したように、基地局１０−３は、ページング周期を更新する場合、更新後のページング周期をページングチャネルに記載してページングを行う（Ｓ５３２、Ｓ５３４）。その後、基地局１０−３は、更新後のページング周期に遷移し、最初のページングチャネルでｉｎｃｏｍｉｎｇ  ｃａｌｌにより端末を呼び出した場合に（Ｓ５３６、Ｓ５３８）、ｉｎｃｏｍｉｎｇ  ｃａｌｌに対するＭＴＣ端末２０−３の応答の有無を判断する（Ｓ５４０）。
【０１２９】
ここで、ＭＴＣ端末２０−３から応答が無かった場合、その理由として、ＭＴＣ端末２０−３が、更新後のページング周期の通知を正常に受信できず、更新前のページング周期に従ってページングを監視し続けていることが考えられる。そこで、基地局１０−３は、ｉｎｃｏｍｉｎｇ  ｃａｌｌに対するＭＴＣ端末２０−３からの応答が無かった場合、ページング周期を更新前のページング周期に戻す（Ｓ５４２）。かかる構成により、基地局１０−３は、ＭＴＣ端末２０−３が監視している周期でページングを行うことが可能となる。
【０１３０】
＜２−４．第４の実施形態＞
以上、本発明の第１〜第３の実施形態を説明した。続いて、本発明の第４の実施形態の説明に先立ち、本発明の第４の実施形態に至った経緯を説明する。
【０１３１】
ＲＲＣ＿ＩｄｌｅモードのＵＥのページング周期が１０日や１カ月のように長周期である場合、周期間隔においてＵＥの状態が変化し得る。しかし、この状態変化に合わせてページング周期を変更することは困難であった。ＵＥがＲＲＣ＿Ｃｏｎｎｅｃｔｅｄモードに遷移して、ｅＮｏｄｅＢと同期を行い、ページング周期の変更のためのシグナリングを行う方法も考えられるが、この方法では電力を消費してしまうという問題があった。
【０１３２】
本発明の第４の実施形態、および以下に説明する第５の実施形態は上記の点に着目してなされたものである。本発明の第４の実施形態によるＭＴＣ端末２０−４は、ＲＲＣ＿Ｉｄｌｅモードを維持したまま状態変化に応じてページング周期を変更することが可能である。以下、このような本発明の第４の実施形態について詳細に説明する。
【０１３３】
（第４の実施形態による基地局の構成）
図１９は、本発明の第４の実施形態による基地局１０−４の構成を示した機能ブロック図である。図１９に示したように、本発明の第４の実施形態による基地局１０−４は、アンテナ１０４と、無線通信部１０８と、スケジューラ１１２と、Ｐ−ＲＮＴＩ管理部１１６と、ページング周期管理部１２４と、記憶部１３４と、ページング制御部１４４と、ＣＲＣ回路１５０と、を備える。アンテナ１０４、無線通信部１０８、スケジューラ１１２、Ｐ−ＲＮＴＩ管理部１１６、およびＣＲＣ回路１５０の機能は第１の実施形態で説明した通りであるので、以下では、主に第１の実施形態と異なる構成を説明する。
【０１３４】
ページング周期管理部１２４は、ＲＲＣ＿Ｉｄｌｅモードで動作する各ＭＴＣ端末２０−４へのページングのための複数の周期を設定する。例えば、ページング周期管理部１２４は、長周期、および短周期を設定する。
【０１３５】
記憶部１３４は、ページング周期管理部１２４により設定された各ＭＴＣ端末２０−４の複数の周期（長周期および短周期）を示す情報を記憶する。
【０１３６】
ページング制御部１４４は、ＲＲＣ＿ＩｄｌｅモードのＭＴＣ端末２０−４に対するページングを、当該ＭＴＣ端末２０−４に関して記憶部１３４に記憶されている複数の周期の各々に従った無線フレームで制御する。以下、この点について図２０を参照してより詳細に説明する。
【０１３７】
図２０は、基地局１０−４によるページングの具体例を示した説明図である。ＭＴＣ端末２０−４に関して記憶部１３４に長周期および短周期が記憶されており、図２０に示したように基地局１０−４が当該ＭＴＣ端末２０−４に対するページング要求をＭＭＥ１２からｔ４において受信した場合を考える。この場合、基地局１０−４のページング周期管理部１２４は、図２０に示したように、短周期に従うタイミングおよび長周期に従うタイミングの双方においてＭＴＣ端末２０−４に対するページングを行う。
【０１３８】
（第４の実施形態によるＭＴＣ端末の構成）
続いて、図２１を参照し、第４の実施形態によるＭＴＣ端末２０−４の構成を説明する。
【０１３９】
図２１は、第４の実施形態によるＭＴＣ端末２０−４の構成を示した機能ブロック図である。図２１に示したように、第４の実施形態によるＭＴＣ端末２０−４は、アンテナ２０４と、無線通信部２０８と、受信周期制御部２２４と、記憶部２３４と、ブラインドデコーディング部２４０と、ＣＲＣ回路２５０と、状態検出部２６０と、を備える。アンテナ２０４、無線通信部２０８、ブラインドデコーディング部２４０、およびＣＲＣ回路２５０の機能は第１の実施形態で説明した通りであるので、以下では、主に第１の実施形態と異なる構成を説明する。
【０１４０】
記憶部２３４は、基地局１０−４との通信に利用される多様な情報を記憶する。例えば、記憶部２３４は、基地局１０−４のＰ−ＲＮＴＩ管理部１１６によってＭＴＣ端末２０−４に割り当てられたＰ−ＲＮＴＩ、および基地局１０−４のページング周期管理部１２４によって設定された長周期および短周期などを記憶する。
【０１４１】
状態検出部２６０は、ＭＴＣ端末２０−４の状態変化を検出する。例えば、状態検出部２６０は、ＭＴＣ端末２０−４の移動、またはＭＴＣ端末２０−４が特定位置に移動したことを状態変化として検出する加速度センサやＧＰＳであってもよい。
【０１４２】
また、状態検出部２６０は、ＭＴＣ端末２０−４の電源残量の減少（例えば、電源残量が閾値を下回ったこと）を状態変化として検出してもよい。また、ＭＴＣ端末２０−４が商品の自動販売機能を有する機器に実装される場合、状態検出部２６０は、自動販売機能による売り上げの変化や商品在庫の減少を状態変化として検出してもよい。
【０１４３】
受信周期制御部２２４は、ＲＲＣ＿Ｉｄｌｅモードにおいてページングを監視するための受信周期（ＤＲＸ周期）を制御する受信制御部である。ここで、基地局１０−４からのページングチャネルにデータ報告（読出し）命令が含まれていても、ＭＴＣ端末２０−４の状態が全く変化していない場合には、ＭＴＣ端末２０−４から有益な情報が得られないこともあり得る。例えば、ＭＴＣ端末２０−４が缶ジュースの自動販売機に実装されており、缶ジュースの補充の目的で基地局１０−４がＭＴＣ端末２０−４から在庫数の報告を要求する場合、在庫数が全く変化していない場合、ＭＴＣ端末２０−４に在庫数を報告させる意義は少ない。
【０１４４】
一方、ＭＴＣ端末２０−４の状態が変化した場合には、ページングによってＭＴＣ端末２０−４にデータ報告させる価値が上がっていると考えられる。このため、ＭＴＣ端末２０−４の状態が変化した場合には、受信周期を短くすることが望ましい。しかし、通常、ＭＴＣ端末２０−４がＲＲＣ＿Ｉｄｌｅモードで動作しているときにはコネクションが確立していないので、基地局１０−４との通信により受信周期を変更することは困難であった。
【０１４５】
この点に関し、本実施形態によるＭＴＣ端末２０−４の受信周期制御部２２４は、状態検出部２６０による状態変化の検出に応じて受信周期を長周期と短周期の間で切り替える。このようにＭＴＣ端末２０−４が一方的にページングのための受信周期を切り替えても、本実施形態による基地局１０−４は、図２０を参照して説明したように、短周期に従うタイミングおよび長周期に従うタイミングの双方においてＭＴＣ端末２０−４に対するページングを行うので、ＭＴＣ端末２０−４は基地局１０−４からページングを受信することが可能である。以下、この点について図２２を参照してより具体的に説明する。
【０１４６】
図２２は、ＭＴＣ端末２０−４による受信周期の切替えを示した説明図である。図２２に示したように、ＭＴＣ端末２０−４の受信周期制御部２２４は、ｔ３において状態検出部２６０により状態変化が検出された場合、受信周期を長周期から短周期に切り替える。一方、基地局１０−４は、ｔ４においてＭＭＥ１２からページング要求を受信した場合、短周期に従ったタイミング、および長周期に従ったタイミングの双方においてページングを行う。このため、ＭＴＣ端末２０−４は、受信周期の切換後、基地局１０−４から短周期に従ったタイミングで行われるページングを受信することができる。
【０１４７】
ここで、受信周期制御部２２４による受信周期の切替え基準の具体例を説明する。例えば、荷物がどの場所にあるかをＭＴＣ端末２０−４により監視するためのトラッキングのアプリケーションでは、荷物に移動が無い場合にＭＴＣ端末２０−４に場所の報告をさせても新たな情報を入手できない。そこで、ＭＴＣ端末２０−４は、荷物に移動が無い場合には長周期に従ってページングを監視し、同じ位置情報を報告する。一方、ＭＴＣ端末２０−４の受信周期制御部２２４は、荷物が移動した場合には受信周期を短周期に切り替える。これにより、呼び出しに対する応答が速くなり、移動後または移動中の位置情報などの有益な情報の報告を短い応答時間で得ることが可能となる。同様の理由により、ＭＴＣ端末２０−４の受信周期制御部２２４は、荷物が特定の場所に移動した場合に受信周期を短周期に切り替えてもよい。
【０１４８】
また、ＭＴＣ端末２０−４の受信周期制御部２２４は、ＭＴＣ端末２０−４の電源残量が減少した場合、受信周期を短周期から長周期に切り替えてもよい。かかる構成により、ＭＴＣ端末２０−４の電源残量の減少速度を抑制することができる。
【０１４９】
また、ＭＴＣ端末２０−４の受信周期制御部２２４は、自動販売機能による売上げが上がった場合、または商品の在庫数が少なくなった場合、受信周期を長周期から短周期に切り替えてもよい。かかる構成により、ネットワーク側は有益な情報を低遅延で取得することが可能となる。
【０１５０】
（第４の実施形態の動作）
以上、本発明の第４の実施形態による基地局１０−４およびＭＴＣ端末２０−４の構成を説明した。続いて、図２３を参照し、本発明の第４の実施形態による動作を説明する。
【０１５１】
図２３は、本発明の第４の実施形態による動作を示したシーケンス図である。図２３に示したように、ＭＴＣ端末２０−４がＲＲＣ＿Ｃｏｎｎｅｃｔｅｄモードで動作している状態で（Ｓ６０２）、基地局１０−４は、長周期および短周期を設定し（Ｓ６０４）、長周期および短周期をＭＴＣ端末２０−４に通知する（Ｓ６０６）。
【０１５２】
ＭＴＣ端末２０−４は、長周期および短周期の通知に対してＡＣＫを基地局１０−４に返信し（Ｓ６０８）、長周期および短周期を示す情報を記憶部２３４に記憶する（Ｓ６１０）。
【０１５３】
その後、ＭＴＣ端末２０−４がＲＲＣ＿Ｉｄｌｅモードに遷移すると、受信周期制御部２２４は、記憶部２３４に記憶した長周期に従ってページングを監視する（Ｓ６１２）。なお、受信周期制御部２２４は、ＲＲＣ＿Ｉｄｌｅモードへの遷移直後の受信周期を短周期に設定してもよい。
【０１５４】
一方、基地局１０−４は、ＭＭＥ１２からＳ１−ＭＭＥインタフェースを介してページング要求が供給されると（Ｓ６１４）、長周期に従うタイミングおよび短周期に従うタイミングを特定し（Ｓ６１６）、双方のタイミングにおいてページングを行う（Ｓ６１８、Ｓ６２０）。ここで、ＭＴＣ端末２０−４は、長周期に従ってページングを監視しているので、長周期に従うタイミングのページングを取得することができる（Ｓ６２０）。
【０１５５】
その後、ＭＴＣ端末２０−４の受信周期制御部２２４は、状態検出部２６０により状態変化が検出された場合（Ｓ６２２）、受信周期を長周期から短周期に切り替える（Ｓ６２４）。
【０１５６】
そして、基地局１０−４は、ＭＭＥ１２からＳ１−ＭＭＥインタフェースを介してページング要求が供給されると（Ｓ６２６）、長周期に従うタイミングおよび短周期に従うタイミングを特定し（Ｓ６２８）、双方のタイミングにおいてページングを行う（Ｓ６３０、Ｓ６３２）。ここで、ＭＴＣ端末２０−４は、短周期に従ってページングを監視しているので、短周期に従うタイミングのページングを取得することができる（Ｓ６３０）。
【０１５７】
＜２−５．第５の実施形態＞
以上、本発明の第４の実施形態を説明した。続いて、本発明の第５の実施形態を説明する。本発明の第５の実施形態は、本発明の第４の実施形態と同様の課題に鑑みてなされたものであり、本発明の第５の実施形態によるＭＴＣ端末２０−５は、ＲＲＣ＿Ｉｄｌｅモードを維持したまま状態変化に応じてページング周期を変更することが可能である。以下、このような本発明の第５の実施形態について詳細に説明する。なお、第５の実施形態によるＭＴＣ端末２０−５の機能ブロックは、第４の実施形態によるＭＴＣ端末２０−４の機能ブロックと実質的に同一に構成できるので、詳細な説明を省略する。
【０１５８】
（第５の実施形態による基地局の構成）
図２４は、本発明の第５の実施形態による基地局１０−５の構成を示した機能ブロック図である。図２４に示したように、本発明の第５の実施形態による基地局１０−５は、アンテナ１０４と、無線通信部１０８と、スケジューラ１１２と、Ｐ−ＲＮＴＩ管理部１１６と、ページング周期管理部１２５と、記憶部１３５と、ページング制御部１４５と、ＣＲＣ回路１５０と、を備える。アンテナ１０４、無線通信部１０８、スケジューラ１１２、Ｐ−ＲＮＴＩ管理部１１６、およびＣＲＣ回路１５０の機能は第１の実施形態で説明した通りであるので、以下では、主に第１の実施形態と異なる構成を説明する。
【０１５９】
ページング周期管理部１２５は、ＲＲＣ＿Ｉｄｌｅモードで動作する各ＭＴＣ端末２０−５へのページングのための複数の周期を設定する。例えば、ページング周期管理部１２５は、長周期、および短周期を設定する。
【０１６０】
記憶部１３５は、ページング周期管理部１２５により設定された各ＭＴＣ端末２０−５の複数の周期（長周期および短周期）を示す情報を記憶する。
【０１６１】
ページング制御部１４５は、ＲＲＣ＿ＩｄｌｅモードのＭＴＣ端末２０−５に対するページングを、当該ＭＴＣ端末２０−５に関して記憶部１３５に記憶されている複数の周期のいずれかに従った無線フレームで制御する。
【０１６２】
ここで、第５の実施形態によるＭＴＣ端末２０−５は、第４の実施形態と同様に、ＭＴＣ端末２０−５の状態変化によりページングのための受信周期を切り替える。一方、基地局１０−５は、ＭＴＣ端末２０−５の受信周期の切替え後であっても、ＭＴＣ端末２０−５の切替え前の周期に従ってページングを行う。このため、ＭＴＣ端末２０−５がページングを受信できないので、基地局１０−５は、ＭＴＣ端末２０−５からページングに対する応答を得られない。
【０１６３】
そこで、基地局１０−５は、ＭＴＣ端末２０−５からページングに対する応答を得られない場合、ＭＴＣ端末２０−５が受信周期を切り替えたと判断し、このＭＴＣ端末２０−５のためのページング周期を切り替える。以下、この点について図２５および図２６を参照して具体的に説明する。
【０１６４】
図２５は、基地局１０−５によるページング周期の切替えを示した説明図である。図２５に示したように、ＭＴＣ端末２０−５は、長周期でページングを監視している場合、基地局１０−５が長周期に従ってページング＃２１を送信すると、このページング＃２１を受信する。
【０１６５】
その後、ＭＴＣ端末２０−５がｔ５において状態変化により受信周期を短周期に切り替えると、基地局１０−５が長周期に従って送信するページング＃２２をＭＴＣ端末２０−５が受信できなくなる。このため、基地局１０−５のページング制御部１４５は、ページング＃２２に対する応答が得られないので、ＭＴＣ端末２０−５が受信周期を切り替えたと判断し、ページング周期を短周期に切り替えてページング＃２２’を送信する。ＭＴＣ端末２０−５は、短周期に従ってページングを監視しているので、このページング＃２２’を受信することが可能である。
【０１６６】
このように、基地局１０−５がページング周期を長周期から短周期に切り替える場合、呼び出しから応答までの時間は短縮されないが、必要が生じるまで長周期に従ってページングを送信するので、ページングのためのリソースを節約できるという利点がある。
【０１６７】
なお、１つのＰ−ＲＮＴＩには、通常複数のＭＴＣ端末２０−５が属する。また、同一のＰ−ＲＮＴＩに属する複数のＭＴＣ端末２０−５には、長周期で動作するＭＴＣ端末２０−５および短周期で動作するＭＴＣ端末２０−５が混在し得る。このため、基地局１０−５は、短周期に従ったタイミングと、長周期に従ったタイミングの双方において、同一のＰ−ＲＮＴＩを用いつつ、異なるＭＴＣ端末２０−５に対するページングを行ってもよい。
【０１６８】
また、長周期に従って到来する各タイミングが短周期に従って到来するタイミングと同一である場合、ＭＴＣ端末２０−５は、タイミング的には、短周期への切換後も長周期に従って送信されるページングを受信可能である。しかし、この場合、基地局１０−５がＭＴＣ端末２０−５の受信周期の切替えを判断することが困難となる。
【０１６９】
そこで、基地局１０−５は、各ＭＴＣ端末２０−５に長周期用のＰ−ＲＮＴＩと短周期用のＰ−ＲＮＴＩを割当て、長周期に従ってページングを行う場合には長周期用のＰ−ＲＮＴＩを用い、短周期に従ってページングを行う場合には短周期用のＰ−ＲＮＴＩを用いてもよい。また、ＭＴＣ端末２０−５は、長周期でページングを監視する場合には長周期用のＰ−ＲＮＴＩを用いてブラインドデコ―ディングを行い、短周期でページングを監視する場合には短周期用のＰ−ＲＮＴＩを用いてブラインドデコ―ディングを行ってもよい。かかる構成によれば、基地局１０−５がＭＴＣ端末２０−５の受信周期の切替えを高精度に判断することが可能となる。
【０１７０】
以上、ページング周期（受信周期）が長周期から短周期に切り替えられる例を説明したが、以下に図２６を参照して説明するように、短周期から長周期への切り替えも可能である。
【０１７１】
図２６は、基地局１０−５によるページング周期の切替えを示した説明図である。図２６に示したように、ＭＴＣ端末２０−５は、短周期でページングを監視している場合、基地局１０−５が短周期に従ってページング＃３１を送信すると、このページング＃３１を受信する。
【０１７２】
その後、ＭＴＣ端末２０−５がｔ６において状態変化により受信周期を長周期に切り替えると、基地局１０−５が短周期に従って送信するページング＃３２をＭＴＣ端末２０−５が受信できなくなる。このため、基地局１０−５のページング制御部１４５は、ページング＃３２に対する応答が得られないので、ＭＴＣ端末２０−５が受信周期を切り替えたと判断し、ページング周期を長周期に切り替えてページング＃３２’を送信する。ＭＴＣ端末２０−５は、長周期に従ってページングを監視しているので、このページング＃３２’を受信することが可能である。
【０１７３】
このように、ＭＴＣ端末２０−５が受信周期を短周期から長周期に切り替えることにより、ＭＴＣ端末２０−５の消費電力を削減することができる。なお、この場合、呼び出しから応答までの時間が長期化するが、レスポンスが遅くなっても問題無いと考えられる場合にＭＴＣ端末２０−５がページングの監視周期を長周期に切り替えるので、これによる悪影響は少ない。
【０１７４】
（第５の実施形態の動作）
以上、本発明の第５の実施形態による基地局１０−５およびＭＴＣ端末２０−５の構成を説明した。続いて、図２７を参照し、本発明の第５の実施形態による動作を説明する。
【０１７５】
図２７は、本発明の第５の実施形態による動作を示したシーケンス図である。図２７に示したように、ＭＴＣ端末２０−５がＲＲＣ＿Ｃｏｎｎｅｃｔｅｄモードで動作している状態で（Ｓ７０２）、基地局１０−５は、長周期および短周期を設定し（Ｓ７０４）、長周期および短周期をＭＴＣ端末２０−５に通知する（Ｓ７０６）。
【０１７６】
ＭＴＣ端末２０−５は、長周期および短周期の通知に対してＡＣＫを基地局１０−５に返信し（Ｓ７０８）、長周期および短周期を示す情報を記憶部２３４に記憶する（Ｓ７１０）。
【０１７７】
その後、ＭＴＣ端末２０−５がＲＲＣ＿Ｉｄｌｅモードに遷移すると、受信周期制御部２２４は、記憶部２３４に記憶した長周期に従ってページングを監視する（Ｓ７１２）。なお、受信周期制御部２２４は、ＲＲＣ＿Ｉｄｌｅモードへの遷移直後の受信周期を短周期に設定してもよい。
【０１７８】
一方、基地局１０−５は、ＭＭＥ１２からＳ１−ＭＭＥインタフェースを介してページング要求が供給されると（Ｓ７１４）、長周期に従うタイミングを特定し（Ｓ７１６）、特定したタイミングにおいてページングを行う（Ｓ７１８）。ここで、ＭＴＣ端末２０−５は、長周期に従ってページングを監視しているので、基地局１０−５からのページングを取得することができる（Ｓ７２０）。
【０１７９】
その後、ＭＴＣ端末２０−５の受信周期制御部２２４は、状態検出部２６０により状態変化が検出された場合（Ｓ７２０）、受信周期を長周期から短周期に切り替える（Ｓ７２２）。
【０１８０】
そして、基地局１０−５は、ＭＭＥ１２からＳ１−ＭＭＥインタフェースを介してページング要求が供給されると（Ｓ７２４）、長周期に従うタイミングを特定し（Ｓ７２６）、特定したタイミングにおいてページングを行う（Ｓ７２８）。しかし、ＭＴＣ端末２０−５は、短周期に従ってページングを監視しているので、基地局１０−５は、このページングに対する応答を得られない。
【０１８１】
このため、基地局１０−５のページング制御部１４５は、ＭＴＣ端末２０−５が受信周期を切り替えたと判断し、ページング周期を短周期に切り替えてページングを行う（Ｓ７３０、Ｓ７３２）。ここで、ＭＴＣ端末２０−５は、短周期に従ってページングを監視しているので、Ｓ７３２で送信されたページングを取得することができる。
【０１８２】
＜＜３．むすび＞＞
以上説明したように、本発明の第１〜第３および第５実施形態によれば、基地局１０が複数の周期を切り替えてページングを行うことが可能となる。例えば、第１の実施形態による基地局１０−１は、３１日（１月）、２８日（２月）、３１日（３月）、３０日（４月）、・・・という月末が到来する非周期パターンに従ってページングを行うことができる。
【０１８３】
また、本発明の第４実施形態による基地局１０−４は、複数の周期でページングを行うので、第４の実施形態によるＭＴＣ端末２０−４は、基地局１０−４と事前に通信することなく、例えばＭＴＣ端末２０−４の状態変化によりページングの受信周期を切り替える事が可能である。
【０１８４】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１８５】
例えば、本明細書の基地局１０およびＭＴＣ端末２０の処理における各ステップは、必ずしもシーケンス図として記載された順序に沿って時系列に処理する必要はない。例えば、基地局１０およびＭＴＣ端末２０の処理における各ステップは、シーケンス図として記載した順序と異なる順序で処理されても、並列的に処理されてもよい。
【０１８６】
また、基地局１０およびＭＴＣ端末２０に内蔵されるＣＰＵ、ＲＯＭおよびＲＡＭなどのハードウェアを、上述した基地局１０およびＭＴＣ端末２０の各構成と同等の機能を発揮させるためのコンピュータプログラムも作成可能である。また、該コンピュータプログラムを記憶させた記憶媒体も提供される。
【符号の説明】
【０１８７】
１０      基地局
１２      ＭＭＥ
１４      Ｓ−ＧＷ
２０      ＭＴＣ端末
１０４、２０４    アンテナ
１０８、２０８    無線通信部
１１２    スケジューラ
１１６    Ｐ−ＲＮＴＩ管理部
１２１〜１２５  ページング周期管理部
１３１〜１３５、２３１〜２３４  記憶部
１４１〜１４５  ページング制御部
１５０    ＣＲＣ回路
２２１〜２２４  受信周期制御部
２４０    ブラインドデコーディング部
２５０    ＣＲＣ回路
２６０    状態検出部
【図１】
0005915795.tif 000002
【図２】
0005915795.tif 000003
【図３】
0005915795.tif 000004
【図４】
0005915795.tif 000005
【図５】
0005915795.tif 000006
【図６】
0005915795.tif 000007
【図７】
0005915795.tif 000008
【図８】
0005915795.tif 000009
【図９】
0005915795.tif 000010
【図１０】
0005915795.tif 000011
【図１１】
0005915795.tif 000012
【図１２】
0005915795.tif 000013
【図１３】
0005915795.tif 000014
【図１４】
0005915795.tif 000015
【図１５】
0005915795.tif 000016
【図１６】
0005915795.tif 000017
【図１７】
0005915795.tif 000018
【図１８】
0005915795.tif 000019
【図１９】
0005915795.tif 000020
【図２０】
0005915795.tif 000021
【図２１】
0005915795.tif 000022
【図２２】
0005915795.tif 000023
【図２３】
0005915795.tif 000024
【図２４】
0005915795.tif 000025
【図２５】
0005915795.tif 000026
【図２６】
0005915795.tif 000027
【図２７】
0005915795.tif 000028